(57)【要約】無線デバイスの移動／回転により、ｇＮＢのＴＸビームと無線デバイスのＲＸビームが不整合になると、ＳＳ−ＢＰＬを更新するためのネットワーク開始手順が導入される。ＳＳ−ＢＰＬの再確立を実行する必要があるとｇＮＢが測定及び決定すると、ｇＮＢは、ＳＳ−ＢＰＬを更新するためにトリガ信号を無線デバイスに送信する。一実施形態において、トリガ信号は、ｇＮＢに新たな好ましいＳＳブロック、したがって新しいＳＳ−ＢＰＬを示すために、無線デバイスによる新しいＳＳブロックの測定と、アップリンク信号の送信（例えば、ＰＲＡＣＨ送信）を開始させ得る。別の実施形態において、ｇＮＢは、無線デバイスのための新しいＳＳブロックを決定し、ｇＮＢから無線デバイスへのメッセージにおいて、後続の送信でのＳＳ−ＢＰＬに使用するため、ｇＮＢによって選択されたＳＳブロックを直接示す。
2020512761.tif 000002
【特許請求の範囲】
【請求項１】
無線通信ネットワークのネットワークノード（１０，７００）により実行される方法（１００）であって、
空間疑似コロケーション（ＱＣＬ）仮定に基づいて、ダウンリンクデータ信号を無線デバイス（２０，３００）に送信するための初期送信機構成を選択する（１１０）ことと、
前記無線デバイス（２０，３００）から受信するアップリンク信号の品質を判定する（１２０）ことと、
前記アップリンク信号の前記品質に基づいて、前記空間ＱＣＬ仮定に従って前記ダウンリンクデータ信号を送信するための新しい送信機構成を選択する再選択手順を開始する（１３０）ことと、を含む方法。
【請求項２】
請求項１に記載の方法（１００）であって、
ダウンリンクデータ信号を前記無線デバイス（２０，８００）に送信するための初期送信機構成を選択することは、
異なる空間方向において、前記無線デバイス（２０，８００）に２つ以上のダウンリンク同期信号を送信することと、
ランダムアクセスチャネルで、前記無線デバイス（２０，８００）から好ましい同期信号を示すランダムアクセス信号を受信することと、
前記好ましいダウンリンク同期信号に基づき前記初期送信機構成を選択することと、
を含む方法。
【請求項３】
請求項２に記載の方法（１００）であって、
前記好ましいダウンリンク同期信号に基づき前記初期送信機構成を選択することは、前記ダウンリンクデータ信号の送信が、前記好ましい同期信号の送信と疑似コロケートとなる様に、前記ダウンリンクデータ信号を送信するための前記初期送信機構成を選択すること、を含む方法。
【請求項４】
請求項２又は３に記載の方法（１００）であって、
前記ダウンリンク同期信号は、同期信号（ＳＳ）ブロックを含む、方法。
【請求項５】
請求項１から４のいずれか１項に記載の方法（１００）であって、
前記無線デバイス（２０，８００）から受信するアップリンク信号の品質を判定することは、アップリンク制御チャネルで前記無線デバイス（２０，８００）により送信されたアップリンク制御チャネル信号の品質を判定すること、を含む方法。
【請求項６】
請求項５に記載の方法（１００）であって、
前記アップリンク制御チャネル信号は、前記アップリンク制御チャネルで前記無線デバイスにより送信された復調基準信号（ＤＭＲＳ）を含む、方法。
【請求項７】
請求項１から６のいずれか１項に記載の方法（１００）であって、
前記無線デバイス（２０，８００）から受信するアップリンク信号の品質を判定することは、信号強度、信号対干渉及び雑音比（ＳＩＮＲ）並びに誤り率の少なくとも１つを判定すること、を含む方法。
【請求項８】
請求項１から７のいずれか１項に記載の方法（１００）であって、
前記再選択手順を開始することは、前記無線デバイス（２０，８００）にトリガ信号を送信すること、を含む方法。
【請求項９】
請求項８に記載の方法（１００）であって、
前記トリガ信号を送信することは、ダウンリンク制御チャネルで前記トリガ信号を送信すること、を含む方法。
【請求項１０】
請求項８に記載の方法（１００）であって、
前記トリガ信号を送信することは、無線リソース制御（ＲＲＣ）シグナリングを介して前記トリガ信号を送信すること、を含む方法。
【請求項１１】
請求項１から１０のいずれか１項に記載の方法（１００）であって、さらに、
前記トリガ信号に応答して、前記無線デバイス（２０，８００）から、新たな好ましいダウンリンク同期信号を示す再選択信号を受信することと、
前記新たな好ましいダウンリンク同期信号に基づき送信のための前記新しい送信機構成を選択することと、
を含む方法。
【請求項１２】
請求項１１に記載の方法（１００）であって、
前記再選択信号は、ランダムアクセスチャネルで前記無線デバイス（２０，８００）により送信されるランダムアクセス信号を含む、方法。
【請求項１３】
請求項１１又は１２に記載の方法（１００）であって、
前記新たな好ましいダウンリンク同期信号に基づき前記新しい送信機構成を選択することは、前記ダウンリンクデータ信号の送信が、前記新たな好ましい同期信号の送信と疑似コロケートとなる様に前記ダウンリンクデータ信号を送信するための前記初期送信機構成を選択すること、を含む方法。
【請求項１４】
請求項１から１０のいずれか１項に記載の方法（１００）であって、さらに、
アップリンクチャネルで前記無線デバイス（２０，８００）により送信されるアップリンク基準信号を測定することと、
前記アップリンク基準信号の前記測定に基づき新しい送信機構成を選択することと、
を含む方法。
【請求項１５】
請求項１４に記載の方法（１００）であって、
アップリンクチャネルで前記無線デバイスにより送信されるアップリンク基準信号を測定することは、前記無線デバイス（２０，８００）により送信されるサウンディング基準信号（ＳＲＳ）を測定すること、を含む方法。
【請求項１６】
請求項１５に記載の方法（１００）であって、
前記ダウンリンクデータ信号を送信するための前記新しい送信機構成を選択することは、
前記アップリンク基準信号の前記測定に基づき新たな好ましいダウンリンク同期信号を判定することと、
前記ダウンリンクデータ信号の送信が、前記新たな好ましいダウンリンク同期信号と疑似コロケートとなる様に、前記ダウンリンクデータ信号を送信するための前記新しい送信機構成を選択することと、
を含む方法。
【請求項１７】
請求項１４から１６のいずれか１項に記載の方法（１００）であって、さらに、
前記新たな好ましい同期信号の表示を前記無線デバイス（２０，８００）に送信すること、を含む方法。
【請求項１８】
請求項１７に記載の方法（１００）であって、
前記新たな好ましい同期信号の前記表示を前記無線デバイス（２０，８００）に送信することは、前記トリガ信号において前記表示を送信すること、を含む方法。
【請求項１９】
請求項１から１８のいずれか１項に記載の方法（１００）であって、
前記初期送信機構成を選択すること、及び、前記新しい送信機構成を選択することは、前記ダウンリンクデータ信号を送信するための送信ビームを生成するために使用されるビーム形成重みを選択すること、を含む方法。
【請求項２０】
無線通信ネットワークのネットワークノード（１０，７００）であって、
前記ネットワークノード（１０、７００）によってサービスされる無線デバイス（２０，８００）と信号を送受信するためのインタフェース回路（７４０）と、
処理回路（７１０）と、を含み、前記処理回路は、
空間疑似コロケーション（ＱＣＬ）仮定に基づいて、ダウンリンクデータ信号を前記無線デバイス（２０，３０）に送信するための初期送信機構成を選択し、
前記無線デバイス（２０，８００）から受信するアップリンク信号の品質を判定し、
前記アップリンク信号の前記品質に基づいて、前記空間ＱＣＬ仮定に従って前記ダウンリンクデータ信号を送信するための新しい送信機構成を選択する再選択手順を開始する、様に構成されている、ネットワークノード。
【請求項２１】
無線通信ネットワークのネットワークノード（１０，７００）であって、
空間疑似コロケーション（ＱＣＬ）仮定に基づいて、ダウンリンクデータ信号を無線デバイス（２０，８００）に送信するための初期送信機構成を選択し、
前記無線デバイス（２０，８００）から受信するアップリンク信号の品質を判定し、
前記アップリンク信号の前記品質に基づいて、前記空間ＱＣＬ仮定に従って前記ダウンリンクデータ信号を送信するための新しい送信機構成を選択する再選択手順を開始する、様に構成されている、ネットワークノード。
【請求項２２】
請求項２１に記載のネットワークノード（１０，７００）であって、
請求項２から１９のいずれか１項に記載の方法を実行する様に構成されている、ネットワークノード。
【請求項２３】
無線通信ネットワークのネットワークノード（１０，７００）の処理回路（７４０）によって実行されると、前記ネットワークノード（１０，７００）に請求項１から１９のいずれか１項に記載の方法を実行させる実行可能命令を含むコンピュータプログラム。
【請求項２４】
請求項２３に記載のコンピュータプログラムを含むキャリアであって、
前記キャリアは、電気信号、光信号、無線信号、又は、コンピュータ可読記憶媒体の１つである、キャリア。
【請求項２５】
無線通信ネットワークのネットワークノード（１０，７００）の処理回路（７１０）によって実行されると、前記ネットワークノード（１０，７００）に請求項１から１９のいずれか１項に記載の方法を実行させる実行可能命令を含むコンピュータプログラムを格納している非一時的なコンピュータ可読記憶媒体。
【請求項２６】
無線通信ネットワークの無線デバイス（２０，８００）により実行される方法（２００）であって、
空間疑似コロケーション（ＱＣＬ）仮定に基づいて、ダウンリンクデータ信号をネットワークノード（１０，７００）から受信するための初期受信機構成を選択する（２１０）ことと、
前記ネットワークノード（１０，７００）からトリガ信号を受信する（２２０）ことと、
前記トリガ信号に応答して、前記ダウンリンクデータ信号を受信するための新しい受信機構成を選択する再選択手順を実行する（２３０）ことと、
を含む方法。
【請求項２７】
請求項２６に記載の方法（２００）であって、
ダウンリンクデータ信号を前記無線デバイス（２０，８００）から受信するための初期受信機構成を選択することは、
前記無線デバイス（２０，８００）において、前記ネットワークノード（１０，７００）により異なる空間方向に送信された２つ以上のダウンリンク同期信号を受信することと、
前記ダウンリンク同期信号の内の好ましい１つのダウンリンク同期信号を選択することと、
前記好ましいダウンリンク同期信号に基づき前記初期受信機構成を選択することと、
ランダムアクセスチャネルで、前記好ましい同期信号を示すランダムアクセス信号を前記ネットワークノード（１０，７００）に送信することと、
を含む方法。
【請求項２８】
請求項２７に記載の方法（２００）であって、
前記好ましいダウンリンク同期信号に基づき前記初期受信機構成を選択することは、前記ダウンリンクデータ信号の送信が、前記好ましい同期信号の送信と疑似コロケートになるとの前記ＱＣＬ仮定に基づいて、前記ダウンリンクデータ信号を受信するための前記初期受信機構成を選択すること、を含む方法。
【請求項２９】
請求項２７又は２８に記載の方法（２００）であって、
前記ダウンリンク基準信号は、前記ネットワークノード（１０，７００）により送信された同期信号（ＳＳ）ブロックを含む、方法。
【請求項３０】
請求項２６から２９のいずれか１項に記載の方法（２００）であって、
前記トリガ信号を受信することは、ダウンリンク制御チャネルで前記トリガ信号を受信すること、を含む方法。
【請求項３１】
請求項２６から２９のいずれか１項に記載の方法（２００）であって、
前記トリガ信号を受信することは、無線リソース制御（ＲＲＣ）シグナリングを介して前記トリガ信号を受信すること、を含む方法。
【請求項３２】
請求項２６から３１のいずれか１項に記載の方法（２００）であって、さらに、前記トリガ信号に応答して、
前記ネットワークノード（１０，７００）により異なる空間方向に送信された２つ以上のダウンリンク同期信号の内の新たな好ましい１つのダウンリンク同期信号を検出することと、
前記ダウンリンクデータ信号の送信が、前記新たな好ましいダウンリンク同期信号の送信と疑似コロケートになるとの前記空間ＱＣＬ仮定に基づいて、前記ネットワークノード（１０，７００）から前記ダウンリンクデータ信号を受信するための前記新しい受信機構成を選択することと、
を含む方法。
【請求項３３】
請求項３２に記載の方法（２００）であって、さらに、
前記新たな好ましいダウンリンク同期信号を前記ネットワークノード（１０，７００）に示す再選択信号を前記ネットワークノード（１０，７００）に送信すること、を含む方法。
【請求項３４】
請求項３３に記載の方法（２００）であって、
前記再選択信号を前記ネットワークノード（１０，７００）に送信することは、ランダムアクセスチャネルで前記再選択信号を送信すること、を含む方法。
【請求項３５】
請求項２６から３１のいずれか１項に記載の方法（２００）であって、さらに、前記トリガ信号に応答して、
前記ネットワークノード（１０，７００）から新たな好ましい同期信号の表示を受信することと、
前記ネットワークノード（１０，７００）によって表示される前記好ましいダウンリンク同期信号を検出することと、
前記ダウンリンクデータ信号の送信が、前記新たな好ましいダウンリンク同期信号の送信と疑似コロケートになるとの前記空間ＱＣＬ仮定に基づいて、前記ネットワークノード（１０，７００）から前記ダウンリンクデータ信号を受信するための前記新しい受信機構成を選択することと、
を含む方法。
【請求項３６】
請求項３５に記載の方法（２００）であって、
前記新たな好ましい同期信号は、前記ネットワークノード（１０，７００）により送信される同期信号（ＳＳ）ブロックを含む、方法。
【請求項３７】
請求項３４から３６のいずれか１項に記載の方法（２００）であって、さらに、
前記ネットワークノード（１０，７００）が新しい送信機構成を判定できる様に、前記ネットワークノード（１０，７００）にアップリンク基準信号を送信すること、を含む方法。
【請求項３８】
請求項２６から３７のいずれか１項に記載の方法（２００）であって、
前記初期受信機構成を選択すること、及び、前記新しい受信機構成を選択することは、前記ダウンリンクデータ信号を受信するための受信ビームを生成するために使用されるビーム形成重みを選択すること、を含む方法。
【請求項３９】
無線通信ネットワークの無線デバイス（２０，８００）であって、
ネットワークノード（１０，７００）と信号を送受信するためのインタフェース回路（８４０）と、
処理回路（８１０）と、を含み、前記処理回路は、
空間疑似コロケーション（ＱＣＬ）仮定に基づいて、ダウンリンクデータ信号をネットワークノード（１０，７００）から受信するための初期受信機構成を選択し、
前記ネットワークノード（１０，７００）からトリガ信号を受信し、
前記トリガ信号に応答して、前記ダウンリンクデータ信号を受信するための新しい受信機構成を選択する再選択手順を実行する様に構成されている、無線デバイス。
【請求項４０】
無線通信ネットワークの無線デバイス（２０，８００）であって、
空間疑似コロケーション（ＱＣＬ）仮定に基づいて、ダウンリンクデータ信号をネットワークノード（１０，７００）から受信するための初期受信機構成を選択し、
前記ネットワークノード（１０，７００）からトリガ信号を受信し、
前記トリガ信号に応答して、前記ダウンリンクデータ信号を受信するための前記受信機構成を更新する再選択手順を実行する様に構成されている、無線デバイス。
【請求項４１】
請求項４０に記載の無線デバイス（２０，８００）であって、
請求項２７から３８のいずれか１項に記載の方法を実行する様に構成されている、無線デバイス。
【請求項４２】
無線デバイス（２０，８００）の処理回路（８１０）によって実行されると、前記無線デバイス（２０，８００）に請求項２６から３８のいずれか１項に記載の方法を実行させる実行可能命令を含むコンピュータプログラム。
【請求項４３】
請求項４２に記載のコンピュータプログラムを含むキャリアであって、
前記キャリアは、電気信号、光信号、無線信号、又は、コンピュータ可読記憶媒体の１つである、キャリア。
【請求項４４】
無線デバイス（２０，８００）の処理回路（８１０）によって実行されると、前記無線デバイス（２０，８００）に請求項２６から３８のいずれか１項に記載の方法を実行させる実行可能命令を含むコンピュータプログラムを格納している非一時的なコンピュータ可読記憶媒体。
【発明の詳細な説明】
【技術分野】
【０００１】
本開示は、一般に無線通信ネットワークに関し、より具体的には、空間的な疑似コロケーション（ｑｕａｓｉ  ｃｏ−ｌｏｃａｔｉｏｎ）仮定に基づく送信機構成及び受信機構成の選択／再選択に関する。
【背景技術】
【０００２】
第３世代パートナーシッププロジェクト（３ＧＰＰ）により開発されている第５世代（５Ｇ）システム又は次世代無線（ＮＲ）システムでは、新しい概念として空間的な疑似コロケーション（ＱＣＬ）が導入されている。送信機（例えば、基地局）から送信された２つの基準信号は、受信した２つの基準信号の受信空間特性が同じ又は同様である場合、受信機（例えば、ユーザ装置（ＵＥ又は無線端末）において空間的に疑似コロケートであると見做される。したがって、空間ＱＣＬは、基礎となる空間特性に関して２つの基準信号を関連付ける。空間特性は、主到着角（ＡｏＡ）、信号の受信角度広がり、空間相関、又は、空間特性をキャプチャ又は定義するその他の任意のパラメータの１つ以上であり得る。これらの空間特性は、ビーム方向を定義し得る。
【０００３】
"アンテナポート"という用語は、特に空間ＱＣＬの文脈において、送信を記述するために"基準信号"という用語と同義で使用されたり、"基準信号"の代わりに使用されたりする。この様に、２つの基準信号は、２つの異なるアンテナポートとして同等に表記され得る。つまり、ＱＣＬ仮定は、２つの基準信号の代わりに２つのアンテナポートを関連付け得る。５Ｇ又はＮＲのＮｏｄｅＢ（ｇＮＢ）から送信された２つのアンテナポートが無線デバイスにおいて空間的に疑似コロケートしている場合、無線デバイスはこの関係を利用して、第１及び第２基準信号の両方を受信するために同じ受信（ＲＸ）ビーム形成重みを使用する。
【発明の概要】
【発明が解決しようとする課題】
【０００４】
無線デバイスがアナログビームフォーミングを使用する場合、信号を受信する前にアナログビームをどこに向けるかを知る必要があるため、空間ＱＣＬの使用は特に重要である。デジタルビームフォーミングにおいて、無線デバイスはベースバンドステージでさまざまなプリコーディングウェイトを適用して信号を復号できるため、信号を受信する前に受信信号の方向を知る必要はない。したがって、ＮＲに対しては、無線デバイスへのｇＮＢ信号であって、以前に送信された特定のチャネル状態情報（ＣＳＩ）−基準信号（ＲＳ）リソース又はＣＳＩ−ＲＳアンテナポートそれぞれが、物理ダウンリンクチャネル（ＰＤＳＣＨ）送信及びＰＤＳＣＨ復調基準信号（ＤＭＲＳ）送信と空間的に疑似コロケートするｇＮＢ信号が提案されている。この情報を使用して、無線デバイスは、以前のＣＳＩ−ＲＳリソース又はアンテナポートの受信で使用したのと同じアナログビームをＰＤＳＣＨ受信に使用できる。言い換えると、基礎となる空間特性に関し、ダウンリンク（ＤＬ）ＣＳＩ−ＲＳ又はＣＳＩ−ＲＳアンテナポートと、ＰＤＳＣＨ又はＰＤＳＣＨのＤＭＲＳ送信との間で空間ＱＣＬ仮定が形成される。
【０００５】
空間ＱＣＬフレームワークを拡張して、無線デバイスからの送信を維持することもできる。この場合、無線デバイスから送信された信号は、無線デバイスによって受信された信号の以前の受信と空間的に疑似コロケートしている。したがって、基礎となるＱＣＬ仮定は、基礎となる空間特性に関して、無線デバイスによって受信されるＤＬ信号を、無線デバイスから送信されるアップリンク（ＵＬ）信号と関連付ける。無線デバイスが送信についてこの仮定を使用する場合、無線デバイスは、以前に信号を受信するために使用されたＲＸビームと同じ又は類似のアナログＴＸビームでアップリンク信号を送信することを意味する。この場合、ｇＮＢから送信される最初のＲＳは、無線デバイスにおいて、無線デバイスからｇＮＢに送信される２番目のＲＳと空間的に疑似コロケートしているものとして参照される。無線デバイスからの送信が期待される方向をｇＮＢが知り、ｇＮＢが実際の受信前にビーム方向を調整できるため、この空間ＱＣＬ仮定は、ｇＮＢがアナログビームフォーミングを使用する場合に役立つ。
【０００６】
３ＧＰＰにおけるＮＲの標準化において、ビーム障害から回復するためのビーム障害回復メカニズムのサポートが提供されている。一例において、ビーム障害復旧手順は、例えば、無線デバイスとｇＮＢとの間のリンク品質が、基準信号（例えば、ＣＳＩ−ＲＳ）の測定に基づきＰＤＣＣＨを受信するのに不十分であるという仮説によって、到達不能であることを検出すると無線デバイスが開始するレイヤ１／レイヤ２（Ｌ１／Ｌ２）メカニズムである。無線デバイスは、ｇＮＢから受信したＣＳＩ−ＲＳの信号強度を測定し、ＰＤＣＣＨを確実に検出するために必要なＳＩＮＲを考慮してＰＤＣＣＨ品質を仮定する。
【０００７】
無線デバイスがビーム障害イベントを検出した後、無線デバイスは、好ましいｇＮＢのＴＸビームを決定するために、ｇＮＢからの同期信号（ＳＳ）ブロック送信（通常、ＳＳブロックはビーム掃引方式で送信される）をリッスンする。次に、無線デバイスは、ＳＳブロックを受信するために使用したＲＸビームと同じ（好ましい）ＴＸビームで、ビーム回復信号（例えば、物理ランダムアクセスチャネル（ＰＲＡＣＨ）で送信されるプリアンブルに類似）を送信する。ビーム回復信号は、ビーム障害が発生したことをネットワークに通知する。
【０００８】
上述した様に、ＰＲＡＣＨ又はビーム回復手順中に、ｇＮＢ及び無線デバイスは、本明細書でＳＳ−ＢＰＬと表記される第１ビームペアリンクを一緒に確立する。このＢＰＬを使用して信号を受信又は送信するために、無線デバイスは、以前に検出された好ましいＳＳブロックとの空間ＱＣＬ関係を仮定する。
【０００９】
上記ビーム障害回復手順の問題は、無線デバイスが到達不能になったときにのみ開始されることである。別の欠点は、回復手順が無線デバイスで開始されるため、ネットワークで予測できないことである。無線デバイスは、潜在的に、無線デバイスが初期システムアクセス試行を行ったのと同じＰＲＡＣＨリソースを使用するため、ビーム障害復旧メカニズムは、初期アクセスを試みる他の無線デバイスと競合することがあり、これは、高負荷シナリオで問題となり、アクセシビリティの主要性能指標（ＫＰＩ）の低下を引き起こす。別の問題は、ビーム障害回復手順後に新しいＳＳ−ＢＰＬをどの様に再確立するかである。
【００１０】
本発明の目的は、背景技術の問題の少なくとも１つを解決することである。この目的は独立請求項によって達成される。有利な実施形態は従属請求項に記載される。
【課題を解決するための手段】
【００１１】
一態様によると、無線通信ネットワーク内のネットワークノードにより実行される方法が提供される。本方法は、空間疑似コロケーション（ＱＣＬ）仮定に基づいて、ダウンリンクデータ信号を無線デバイスに送信するための初期送信機構成を選択することを含む。本方法は、無線デバイスから受信するアップリンク信号の品質を判定し、アップリンク信号の品質に基づいて、空間ＱＣＬ仮定に従ってダウンリンクデータ信号を送信するための新しい送信機構成を選択する再選択手順を開始することをさらに含む。
【００１２】
別の態様によると、無線通信ネットワーク内のネットワークノードが提供される。ネットワークノードは、ネットワークノードによってサービスされる無線デバイスに信号を送信し、無線デバイスから信号を受信するためのインタフェース回路と、空間疑似コロケーション（ＱＣＬ）仮定に基づいて、ダウンリンクデータ信号を無線デバイスに送信するための初期送信機構成を選択する様に構成された処理回路と、を備えている。処理回路は、無線デバイスから受信するアップリンク信号の品質を判定し、アップリンク信号の品質に基づいて、空間ＱＣＬ仮定に従ってダウンリンクデータ信号を送信するための新しい送信機構成を選択する再選択手順を開始する様にさらに構成される。
【００１３】
別の態様によると、無線通信ネットワークの無線デバイスにより実行される方法が提供される。本方法は、空間疑似コロケーション（ＱＣＬ）仮定に基づいて、ダウンリンクデータ信号をネットワークノードから受信するための初期受信機構成を選択するステップを含む。本方法は、ネットワークノードからトリガ信号を受信し、トリガ信号に応答して、ダウンリンクデータ信号を受信するための新しい受信機構成を選択する再選択手順を実行するステップをさらに含む。
【００１４】
別の態様によると、無線通信ネットワークの無線デバイスが提供される。無線デバイスは、ネットワークノードに信号を送信し、ネットワークノードからの信号を受信するためのインタフェース回路と、空間疑似コロケーション（ＱＣＬ）仮定に基づいて、ダウンリンクデータ信号をネットワークノードから受信するための初期受信機構成を選択する様に構成された処理回路と、を備えている。処理回路は、ネットワークノードからトリガ信号を受信し、トリガ信号に応答して、ダウンリンクデータ信号を受信するための新しい受信機構成を選択する再選択手順を実行する様にさらに構成される。
【００１５】
別の態様によると、無線通信ネットワークの無線デバイスが提供される。無線デバイスは、空間疑似コロケーション（ＱＣＬ）仮定に基づいて、ダウンリンクデータ信号をネットワークノードから受信するための初期受信機構成を選択する様に構成される。無線デバイスは、ネットワークノードからトリガ信号を受信し、トリガ信号に応答して、ダウンリンクデータ信号を受信するための受信機構成に更新する再選択手順を実行する様にさらに構成される。
【００１６】
本発明はまた、無線通信ネットワークのネットワークノード又は無線デバイスの処理回路によって動作されると上述した方法を実行するためのソフトウェアコード又は命令の部分を含むコンピュータプログラムに関する。コンピュータプログラムは、非一時的なコンピュータ可読媒体に格納され得る。本発明は、コンピュータプログラムを含むキャリアにも関連し、キャリアは、電気信号、光信号、無線信号、コンピュータ可読記憶媒体の１つである。
【００１７】
以下、図面に示される例示的な実施形態を参照して本発明について記述する。
【図面の簡単な説明】
【００１８】
【図１】ｇＮＢと無線デバイスとの間の通信に使用されるビームペアリンクを示す図。
【図２】無線デバイスが好ましいＳＳブロックを検出できる様にするためのビーム掃引手順を示す図。
【図３】ネットワークノード及び無線デバイスそれぞれにより送信機及び受信機の構成を選択するためにビームペアリンクを再調整する再選択手順を示す図。
【図４】ネットワークノード及び無線デバイスそれぞれにより送信機及び受信機の構成を選択するためにビームペアリンクを再調整する別の再選択手順を示す図。
【図５】新しい送信機構成を選択するためにネットワークノードにより実行される例示的な方法を示す図。
【図６】新しい受信機構成を選択するために無線デバイスにより実行される例示的な方法を示す図。
【図７】ビームペアの不整合の検出に応じて新しい送信機構成を選択する様に構成された例示的なネットワークノードを示す図。
【図８】サービングネットワークノードからのトリガ信号に応答して新しい受信機構成を選択する様に構成された例示的な無線デバイスを示す図。
【発明を実施するための形態】
【００１９】
本開示の一態様において、無線デバイスの移動／回転により、ｇＮＢのＴＸビームと無線デバイスのＲＸビームが不整合になり始めると、ＳＳ−ＢＰＬを更新するネットワーク開始手順が導入される。初期アクセスの後、ＳＳ−ＢＰＬが確立され、ｇＮＢはデータ信号（例えば、ＰＤＣＣＨ及び／又はＰＤＳＣＨ信号）を送信するための送信機構成を選択し、無線デバイスは、データ信号を受信するために対応する受信機構成を選択する。ｇＮＢ及び無線デバイスは、同じ空間ＱＣＬ仮定に基づいてそれぞれの構成を選択するため、送信機及び受信機の構成は、それぞれ送信ビームと受信ビームの空間方向を決定し、整合される。ＳＳ−ＢＰＬの再確立を実行する必要があるとｇＮＢが測定及び決定すると、ｇＮＢは、ＳＳ−ＢＰＬを更新するためにトリガ信号を無線デバイスに送信する。一実施形態において、トリガ信号は、ｇＮＢに新たな好ましいＳＳブロック、したがって新しいＳＳ−ＢＰＬを示すために、無線デバイスによる新しいＳＳブロックの測定と、アップリンク信号の送信（例えば、ＰＲＡＣＨ送信）を開始させ得る。別の実施形態において、ｇＮＢは、無線デバイスのための新しいＳＳブロックを決定し、ｇＮＢから無線デバイスへのメッセージにおいて、後続の送信でのＳＳ−ＢＰＬに使用するため、ｇＮＢによって選択されたＳＳブロックを直接示す。
【００２０】
無線デバイスは、ＳＳ−ＢＰＬに関連付けられたＳＳブロックが、無線デバイス側において、ＰＤＣＣＨ送信やＰＤＣＣＨ復調基準信号（ＤＭＲＳ）などの信号の後続の受信と空間的にＱＣＬであるとことを仮定し得る。無線デバイスは、物理アップリンク制御チャネル（ＰＵＣＣＨ）、物理アップリンク共有チャネル（ＰＵＳＣＨ）、及び関連するＤＭＲＳ等の後続の信号を送信する必要があり、これらの送信信号は、ＳＳブロックと空間的にＱＣＬである。
【００２１】
再選択手順は、無線デバイス支援及びｇＮＢ制御と、完全なｇＮＢ制御のいずれかである。無線デバイス支援及びｇＮＢ制御ソリューションにおいて、ｇＮＢは、ビーム障害回復メカニズムと同様の無線デバイスによるアクションをトリガする。無線デバイス支援なしのｇＮＢ制御ソリューションにおいて、ｇＮＢは、どのＳＳブロックをＳＳ−ＢＰＬとして使用すべきかを無線デバイスに直接明示的に示す。再確立手順は、好ましくは、ビームリンク障害が発生する前に、ネットワークによって開始される。
【００２２】
ＳＳ−ＢＰＬの再選択手順は、以下の利益／利点を提供する。
・少なくとも共通又はグループ共通ＰＤＣＣＨの送信に使用されるＳＳ−ＢＰＬは常に使用可能であるため、無線デバイスは移動／回転しても常に到達可能である。リンクが障害になるのを待つのではなく、ＳＳ−ＢＰＬの整合を維持するため、ｇＮＢは、プリエンプティブなアクションを実行できる。これにより、より堅牢なシステムパフォーマンスが確保され、遅延が改善される。
・再選択手順はネットワークで制御されるため、再選択コマンドを適切な時間にスケジュールして、設定されたＰＲＡＣＨ機会に渡りＰＲＡＣＨ負荷を平滑化する機能をネットワークに提供できる。
・ネットワーク制御手順を使用すると、無線デバイスが開始する手順よりも無線リソースの使用率を予測できる。
【００２３】
ここで図面を参照して、本開示の例示的な実施形態を、第３世代パートナーシッププロジェクト（３ＧＰＰ）の次世代レディオ（ＮＲ）無線通信ネットワークの文脈で説明する。本明細書で説明する方法及び装置は、ＮＲネットワークでの使用に限定されず、空間ＱＣＬ仮定が使用される５Ｇ規格及び他の規格に従って動作する無線通信ネットワークでも使用できることを当業者は理解するであろう。
【００２４】
図１は、ＮＲネットワークにおけるｇＮＢ１０と無線デバイス２０との間の通信を示している。ｇＮＢ１０は、ダウンリンクにおいて無線デバイス２０にＳＳブロックを送信する。無線デバイス２０は、空間ＱＣＬ仮定によりＳＳブロックに関連付けられたＰＲＡＣＨ信号をアップリンク上で送信して、第１ＢＰＬ２５を形成する。一実施形態において、無線デバイス２０は、２つ以上の異なるＳＳブロックの中から好ましいＳＳブロックを検出し、好ましいＳＳブロックを受信するために使用したのと同じビームでＰＲＡＣＨ信号をｇＮＢ１０に送信する。無線デバイスからＰＲＡＣＨ信号を受信した後、ｇＮＢ１０は、好ましいＳＳブロック及び好ましいＳＳブロックが送信されたビームを知っている。その後、ｇＮＢ１０は、第２の空間ＱＣＬ仮定により関連付けられたＰＳＣＣＨ又はＰＤＳＣＨでダウンリンクデータ信号を送信して、第２ＢＰＬ３０を形成する。ｇＮＢ１０及び無線デバイス２０は、同じ空間ＱＣＬ仮定を適用する。したがって、無線デバイス２０は、ダウンリンクデータ信号（例えば、ユーザデータ又は制御信号）が、ＰＲＡＣＨ信号を送信するために使用されたのと同じビームで、又は、同じビーム方向で送信されることを期待する。
【００２５】
一実施形態において、ＳＳブロックは第１基準信号（ＲＳ）を含む。ＳＳブロックは、初期アクセス、ビームリンク障害（例えば、現在使用されているビームペアリンクの遮断）からの回復、及び、セル間のアイドルモードモビリティなどの目的で無線デバイス２０に使用され得る。一実施形態において、ＳＳブロックは、一次同期信号（ＰＳＳ）、二次同期信号（ＳＳＳ）、物理ブロードキャストチャネル（ＰＢＣＨ）、及び、場合によっては三次同期信号（ＴＳＳ）を含む。一実施形態におけるＳＳブロックは、４つの直交周波数分割多重（ＯＦＤＭ）シンボルに跨るが、ＳＳブロックは、それより多くの又はそれより少ない数のＯＦＤＭシンボルに跨る場合もある。
【００２６】
複数のＳＳブロックは、異なるビームフォーミング方向で送信され得るため、各ＳＳブロックはビームのアンテナゲインの恩恵を受けることができる。欠点は、ビームでｇＮＢエリア全体をカバーするために４つのＯＦＤＭシンボルを、複数のＳＳブロックが、複数、使用する必要があることである。ビームが狭いほど、ビームあたりのカバレッジは向上するが、ＳＳブロックを送信するためのオーバーヘッドが大きくなる。よって、カバレッジとオーバーヘッドのトレードオフになる。通常、ＳＳブロックビームは、データ送信に使用されるビームよりも広い。後者は、受信機における信号対干渉及び雑音比（ＳＩＮＲ）を最大化し非常に高いアンテナゲインを提供するために非常に狭くすることができる。
【００２７】
図１に戻り、無線デバイス２０は、無線デバイスがサービングセルと同期を確立するために（例えば、初期アクセス、アイドルモードモビリティ等）、或いは、ビームペアリンクを再確立（つまり、ビーム回復）するために、物理ランダムアクセスチャネル（ＰＲＡＣＨ）信号及び／又はビーム回復信号（ＰＲＡＣＨ信号の形式であり得る）をｇＮＢ１０に送信する。ＰＲＡＣＨ信号又は回復信号は、第２ＲＳと見做し得る。無線デバイス２０がＰＲＡＣＨ又はビーム回復信号（第２ＲＳ）を送信するとき、送信されたＰＲＡＣＨ／ビーム回復信号は、無線デバイス側において、受信されたＲＳと空間的にＱＣＬであると見做され、受信されたＲＳは、複数のビーム形成されたＳＳブロックの内の好ましく、かつ、検出されたＳＳブロック（第１ＲＳ）に属する。この様に、無線デバイス２０は、ＳＳブロックを受信するために使用したのと同じビームでＰＲＡＣＨ／ビーム回復信号を送信する。無線デバイス２０が送信に使用するビームは既知であり、ｇＮＢ１０は、ＰＲＡＣＨを受信するために、ＳＳブロックを送信するために使用した送信（ＴＸ）ビームと同じ受信（ＲＸ）ビームを使用できるので、この関係はネットワーク側に予測可能性をもたらす。よって、各ＳＳブロックには、関連付けられたＰＲＡＣＨリソースがある。代わりに、使用するＰＲＡＣＨリソースを、好ましいＳＳブロック内のＰＢＣＨで示すことができる。
【００２８】
ダウンリンク方向において、ｇＮＢ１０は、ダウンリンクデータ信号を無線デバイス２０に送信する。ダウンリンクデータ信号は、ユーザデータを運ぶデータ信号又は制御情報を運ぶデータ信号を含み得る。ダウンリンクデータ信号は、物理ダウンリンク制御チャネル（ＰＤＣＣＨ）又はＰＤＳＣＨで送信され得る。一実施形態において、ＰＤＣＣＨ又はＰＤＳＣＨ上でのデータ信号の送信は、好ましいＳＳブロックの送信と空間的に疑似コロケートにすべきことが仮定される。この仮定された空間的コロケーション関係は、ＳＳブロックとデータ信号との間に第２ビームペアリンク３０を形成する。
【００２９】
ＢＰＬ２５、３０と、ＰＲＡＣＨ、ＰＤＣＣＨ及びＰＤＳＣＨの空間ＱＣＬ仮定により、ｇＮＢ１０及び無線デバイス２０は、明示的なシグナリング無しに、粗いビームペアリンク（ＢＰＬ）関係を自律的に確立することができ、それは、更なる通知があるまで、共通検索スペース又はグループ共通検索スペースにおいてｇＮＢ１０からＰＤＣＣＨ送信を受信する等の目的のために使用され得る。
【００３０】
一実施形態において、共通検索スペースＰＤＣＣＨ上でｇＮＢ１０によりスケジューリング情報が送信され、無線デバイス２０固有の検索スペース、及び、ＣＳＩ及び／又はビーム管理測定に使用するＣＳＩ−ＲＳリソースの構成に関する構成情報を含む無線デバイス２０への物理ダウンリンク制御チャネル（ＰＤＳＣＨ）送信をスケジュールすることができる。この構成情報を運ぶＰＤＳＣＨを受信するために、無線デバイス２０は、ＰＤＳＣＨに関連付けられたＤＭＲＳ（第２ＲＳ）が以前に検出されたＳＳブロック（第１ＲＳ）と空間的にＱＣＬであると仮定でき、その結果、受信に使用するＲＸビームを構成できる。よって、無線デバイス２０は、好ましいＳＳブロックを受信したときにＲＸビームを調整したのと同じ方法で、共通検索スペースＰＤＣＣＨを受信するときにそのアナログビームを調整すべきである。
【００３１】
異なるＱＣＬ仮定を使用する異なるビームペアリンク（ＢＰＬ）が、デバイス固有の検索ペースでのＰＤＣＣＨの受信に使用できる。この場合、デバイス固有の検索スペース内のＰＤＣＣＨは、ユーザデータを搬送するＰＤＳＣＨ送信及びＰＵＳＣＨ送信をスケジュールする目的で使用され得る。
【００３２】
本開示の実施形態において、ｇＮＢ１０及び無線デバイス２０は、それぞれ、ＤＬのＳＳブロック及びＵＬのＰＲＡＣＨ信号に対する空間ＱＣＬ仮定の下で確立されたＢＰＬを有する。ＢＰＬは、ｇＮＢ１０がＰＲＡＣＨ信号を受信したときに確立される。ＢＰＬは、ＤＬ送信（ビーム送信）及びＵＬ受信（ビーム受信）に使用されるｇＮＢ１０のビームと、ＵＬ送信（ビーム送信）及びＤＬ受信（ビーム受信）に使用される無線デバイス２０のビームとを含む。言い換えると、無線デバイス２０及びｇＮＢ１０の送信ビーム及び受信ビームは、それぞれ同じ又は類似している。この点、送信ビーム又は受信ビームは、このビームを送信又は受信するために無線デバイス２０又はｇＮＢ１０によってそれぞれ使用される特定の送信機構成又は受信機構成に関連付けられ得る。送信機構成は、送信ビーム形成重みによって特徴付けられ、受信機構成は、受信ビーム形成重みによって特徴付けられる。送信ビーム形成重みは、ビームを介して信号を送信するために使用されるプリコーダを定義することに留意されたい。対照的に、受信信号の処理ではプリコーダを使用しない場合がある。
【００３３】
図２は、一実施形態においてＢＰＬがどの様に確立されるかの例を示している。ｇＮＢ１０は、周期的に一連の（バースト）Ｌ個のＳＳブロックを送信し、ここで、各ＳＳブロックがＰＳＳ、ＳＳＳ、ＰＢＣＨ、及び、場合によってはＴＳＳからなることが３ＧＰＰ  ＮＲで合意されている。ＳＳブロックは４つのＯＦＤＭシンボルに跨り得るが、３ＧＰＰ  ＮＲでは合意されていない。複数のＳＳブロックは、異なるビームフォーミング方向で送信され得るため、各ＳＳブロックはビームのアンテナゲインの恩恵を受けることができる。言い換えると、ｇＮＢ１０は、異なるＬ個のビームを使用して異なるＬ個のＳＳブロックを時間内に送信する。ＳＳブロックと送信ビーム間のマッピングは、１対１のマッピングである。ｇＮＢ１０は、各ＳＳブロックにビームフォーミングを適用するため、使用される各送信ビームと対応するＳＳブロックとの間の関連性の知識を有する。結果、その様なビームでｇＮＢ１０のエリア全体をカバーするために、複数のＳＳブロックが、４つのＯＦＤＭシンボルを、複数、使用することを要求する。ビームが狭いほど、ビームあたりのカバレッジは向上するが、ＳＳブロックの送信によるオーバーヘッドは大きくなる。よって、カバレッジとオーバーヘッドのトレードオフになる。
【００３４】
図１の左側に示す様に、無線デバイス２０は、ビーム掃引ＳＳブロック送信を使用して初期システムアクセスを実行する。無線デバイス２０は、例えば、測定された信号強度に基づいて、好ましいＳＳビームを選択する。無線デバイス２０は、初期アクセスに使用されるＰＲＡＣＨ信号が、好ましく、且つ、検出されたＳＳブロックに属するＲＳと空間的に疑似コロケートであると仮定すべきである。これは、無線デバイス２０が、好ましいＳＳブロックを受信するために使用したのと同じビームでＰＲＡＣＨ信号を送信することを意味する。次に、ネットワークは、無線デバイス２０によって検出されたＳＳブロックの送信に使用したのと同じビームを使用して、ＰＲＡＣＨを受信できる。このＲＡＣＨ／ビーム回復手順及び関連するＱＣＬ仮定により、ｇＮＢ１０及び無線デバイス２０は粗いビームペアリンク（ＢＰＬ）を確立し、この粗いＢＰＬは、そのときからら更に通知されるまでの間、ｇＮＢ１０又はＴＲＰから送信される共通検索スペース又はグループ共通検索ＰＤＣＣＨを受信するなどの目的のために使用され得る。
【００３５】
本開示の実施形態は、無線デバイス２０が関連付けられたＰＲＡＣＨリソースを送信した、好ましく、かつ、以前に検出されたＳＳブロックとＱＣＬとの関連付けを無線デバイス２０が仮定するビームペアリンク（ＢＰＬ）を対象とする。ＳＳブロックとＱＣＬを使用して確立されたこのＢＰＬをＳＳ−ＢＰＬとして参照する。
【００３６】
ＳＳブロックビームは静的である。静的なＳＳブロックビームの問題は、無線デバイス２０が移動したとき、又は、チャネルに変更があるときに、好ましいＳＳブロックが古くなることである。その結果、ＳＳ−ＢＰＬに関連付けられたｇＮＢのＴＸ／ＲＸビーム及び無線デバイス２０のＲＸ／ＴＸビームは、無線デバイス２０の移動、回転、又は、チャネルブロックにより不整合になり得る。不整合（すなわち、ポインティング誤り）が著しい場合、無線デバイス２０での信号受信が低下し得る。さらに悪いことに、ビームリンク障害が発生する可能性があり、その場合、ネットワークはＰＤＣＣＨで無線デバイス２０に到達できなくなる。
【００３７】
無線デバイス２０が移動及び／又は回転すると、ＳＳ−ＢＰＬに関連付けられたｇＮＢ１０のＴＸ／ＲＸビーム及び無線スデバイス２０のＲＸ／ＴＸビームが不整合になり得る（ポインティング誤り）。無線デバイス２０とｇＮＢ１０との間のチャネルが少なくとも部分的にブロックされる様になると同じことが生じ得る。これらの場合、無線デバイス２０での信号受信は、ポインティング誤りが増加するにつれて低下し始め得る。現在の開示において、この問題は、ＳＳ−ＢＰＬを再選択（再調整）するネットワークにより開始される手順（ＢＰＬの更新又は再調整）によって解決される。手順は、無線デバイス支援及びｇＮＢ制御と、完全なｇＮＢ制御とのいずれかである。
【００３８】
ビーム障害回復手順において、無線デバイス２０は、ＳＳ−ＢＰＬにリンクされたリソースでＰＲＡＣのような信号を送信する。これは、無線デバイス２０がこのＰＲＡＣＨ送信に、好ましいＳＳブロックを受信するために使用したＲＸビームと同じＴＸビームを使用し、各ＰＲＡＣＨリソースは、ｇＮＢ１０から特定の既知のＴＸビームで送信されたＳＳブロックにリンクされているので、ｇＮＢ１０が、ビーム障害信号の受信に使用するＲＸビームを認識することを意味する。以下の実施形態とは対照的に、ビーム障害回復のトリガは、無線デバイス２０によって開始される。
【００３９】
図３は、ネットワーク制御及び無線デバイス２０支援の実施形態を示している。ｇＮＢ１０は、ＢＰＬがずれていることを検出し（ステップ１）、ビーム障害回復メカニズム及び初期アクセス手順と同様の再選択手順をトリガするため、無線デバイス２０にトリガ信号を送信する（ステップ２）。トリガ信号は、ＰＤＣＣＧ命令又は無線リソース制御（ＲＲＣ）シグナリングを介して送信され得る。再選択手順の間、ｇＮＢ１０は、前述した様にビーム掃引方式でＳＳブロックを送信する（ステップ３）。トリガ信号に応答して、無線デバイス２０は、好ましいＳＳブロックを検出して送信し（ステップ４）、ＰＲＡＣＨ上のプリアンブルに似た再選択信号を送信する（ステップ５）。ＰＲＡＣＨ又はＰＲＡＣＨの様な信号は、ＲＲＣシグナリング等の上位層によって構成され得る。一実施形態において、各ＰＲＡＣＨリソースはＳＳブロックに関連付けられているため、ＰＲＡＣＨリソースを受信すると、ネットワークは、無線デバイス２０が現在どのＳＳブロックを優先しているかを知る。
【００４０】
第１代替形態（Ａｌｔ１）において、無線デバイス２０は、受信電力又は品質を監視するために複数のＳＳブロックを連続的に測定し、ｇＮＢ１０によってトリガされたときに使用するＰＲＡＣＨリソース導出するために、好ましいＳＳブロック（すなわち、信号が最高の信号強度で受信されるＳＳブロック）を使用する。
【００４１】
第２代替形態（Ａｌｔ２）において、無線デバイス２０は、ｇＮＢ１０からトリガを受信すると複数のＳＳブロックで一連の測定を開始し、新たな好ましいＳＳブロックを決定し、定義された時間において、好ましいＳＳブロックに対応するＰＲＡＣＨリソースでＰＲＡＣＨを送信する。再選択信号がＰＲＡＣＨで送信された後、無線デバイス２０及びｇＮＢ１０は、それぞれ、受信機構成及び送信機構成を決定するために使用するＳＳ−ＢＰＬを更新する（ブロック６及び７）。最終結果は、ＳＳ−ＢＰＬの再整合である（ステップ８）。
【００４２】
ｇＮＢ１０がビーム回復信号を検出するＲＸビームが何であれ、回復されたＳＳ−ＢＰＬに関連付けられた新しいｇＮＢ１０のＴＸ／ＲＸビームになる。同様に、無線デバイス２０は、ＳＳを受信したビームを記憶し、これがＳＳ−ＢＰＬに関連付けられた無線デバイス２０の新しいＲＸ／ＴＸビームになる。この手順により、ＳＳ−ＢＰＬが再確立される。
【００４３】
図４は、無線デバイス２０の支援がない、ネットワーク制御の実施形態を示している。ｇＮＢ１０は、ＳＳ−ＢＰＬの不整合を検出し、再選択手順をトリガするため、前述した様にトリガ信号を送信する（ステップ１及び２）。この実施形態において、ｇＮＢ１０は、無線デバイスからのアップリンク信号の測定に基づいて好ましいＳＳブロックを決定し、現在のＳＳブロックの代わりにＳＳ−ＢＰＬとして使用する新しいＳＳブロックを無線デバイス２０に直接かつ明示的に表示する。この表示は、ＰＤＣＣＨ又はＰＤＳＣＨシグナリングなどのレイヤ１シグナリングを使用して、或いは、ＲＲＣシグナリングなどの上位レイヤシグナリングを使用して実行できる。図４に示される実施形態において、ｇＮＢ１０は、ＳＳブロックインデックスをトリガ信号で無線デバイス２０に送信する。ｇＮＢ１０は、新たな好ましいＳＳブロックを使用するためにＳＳ−ＢＰＬを更新する（ステップ４）。トリガ信号に応答して、ＳＳ−ＢＰＬを更新するため、無線デバイス２０は表示されたＳＳブロックを測定し（ステップ５及び６）、そのＲＸビームを再構成又は調整する。すなわち、無線デバイスは、例えば、その後のＰＤＣＣＨ送信において、表示されたＳＳブロックが無線デバイス側において空間的に疑似コロケートである仮定する。最終結果は、ＳＳ−ＢＰＬの再整合である（ステップ７）。
【００４４】
この動作モードは、無線デバイス２０からｇＮＢ１０へのアップリンク信号が測定に使用され、その結果、ｇＮＢ１０が各潜在的なＳＳ−ＢＰＬの品質を知る場合に役立ち、そこでは、ＳＳ−ＢＰＬとして別のＳＳブロックに切り替えるための命令が無線デバイス２０に直接送信される。ＵＬ信号の一例は、サウンディング基準信号（ＳＲＳ）である。ＳＳブロックを送信するために使用されるものと一致する受信ビームのセットを試みることにより、ｇＮＢ１０は、例えば信号強度に基づいて、どの潜在的なＳＳ−ＢＰＬが好ましいかを決定することができる。
【００４５】
無線デバイス２０が開始する従来のビーム障害手順とは対照的に、本開示の一態様による再選択手順は、ビームリンク障害が発生する前にネットワークによって開始される。これにより、ＳＳ−ＢＰＬの継続的な可用性と品質が保証される。ネットワークにより制御されるビーム再選択機能と無線デバイスにより開始されるビーム再選択機能は、相互に排他的ではなく、それらは一緒に使用され得る。言い換えると、無線デバイス２０及びｇＮＢ１０での新しいＢＰＬの選択について説明したロジックは、ビームリンク障害回復手順に加えて、ｇＮＢ１０が事前のアクションを実行するのに十分な時間において検出できない可能性のある突然のビームリンク障害の場合の"セーフィティネット"に適用できる。
【００４６】
図３及び図４の実施形態における手順は、ネットワークによって、例えば、ｇＮＢ１０がＰＤＣＣＨ共通検索スペースでＰＤＣＣＨ命令を送信することによってトリガされる。上記の様に、ＰＤＣＣＨ命令は、無線デバイス２０に再選択プロセスを開始することを通知する。ｇＮＢ１０は、例えば、ＳＳブロックと空間的に疑似コロケートであると仮定され得るＵＬ信号の受信に基づいて、ＳＳ−ＢＰＬが不整合になっていることを検出するために様々な方法を使用できる。
【００４７】
図３及び図４の実施形態における手順は、ＳＳ−ＢＰＬが特定の閾値未満に劣化し始めることをｇＮＢ１０が検出することで始まる。ＳＳ−ＢＰＬは、例えば、ＳＳブロックと空間的に疑似コロケートであると仮定されるＵＬ信号に基づいて測定され得る。例えば、これはＰＵＣＣＨ（及び関連するＤＭＲＳ）（それぞれがショートＰＵＣＣＨ又はロングＰＵＣＣＨ）であり得る。ｇＮＢ１０は、ＳＳ−ＢＰＬの品質メトリック、例えばＳＩＮＲを推定するために基準信号を使用し、品質が閾値を下回り始めたかどうかを検出するために、これを経時的に追跡することができる。ショートＰＵＣＣＨは、スロットの最後において、スロット（時間領域で７又は１４シンボル、周波数領域で１２の倍数のキャリアで形成される）で送信され、アップリンク制御情報（ＵＣＩ）の小さなペイロードを運ぶＵＬ制御チャネルを参照している。ロングＰＵＣＣＨは、スロット内の複数のＯＦＤＭシンボルで送信され、より大きなＵＣＩペイロードを伝送するアップリンク制御チャネルに関連する。
【００４８】
リンクが大幅に劣化する前に、ｇＮＢ１０は、再選択手順を開始するため、無線デバイス２０に明示的な信号を送信する。再選択指示は、例えば、ＰＤＣＣＨ共通検索スペースで送信されるＰＤＣＣＨ内のＰＤＣＣＨ命令を介することができる。これは、図１の右側と、図３及び図４に示されている。
【００４９】
例えば、図３の実施形態において、無線デバイス２０はＰＤＣＣＨ命令を受信すると、上述した初期アクセス手順におけるＰＲＡＣＨ送信と同様のプロセスを実行する。具体的には、無線デバイス２０は、例えば、測定された信号強度に基づいて好ましいＳＳブロックビームを選択する、或いは、無線デバイス２０が既にこれらの測定値を持っている場合（図３の実施形態のＡｌｔ１の様に）、利用可能な測定値から好ましいＳＳブロックを選択する。測定されたリンクの品質は低下し始めているため、このビームは以前のものとはかなり異なる可能性がある。無線デバイス２０は、"再選択信号"、例えば、ネットワークによって示される無線ネットワーク一時識別子（ＲＮＴＩ）に一意に関連付けられたＰＲＡＣＨ類似信号を送信する。無線デバイス２０は、好ましいＳＳブロックを受信するために使用したのと同じビームを使用して再選択信号を送信する。ｇＮＢ１０は、無線デバイス２０によって検出されたＳＳブロックの送信に使用したのと同じビームを使用して、基準信号を受信できる。ネットワークは、無線デバイス２０からの再選択信号を検出すると、どの無線デバイス２０がそれを送信したかを知り、その無線デバイス２０の更新された（再整合された）ＳＳ−ＢＰＬを追跡することができる。この様にして、ＳＳ−ＢＰＬは、少なくとも共通又はグループ共通ＰＤＣＣＨの送信に常に使用可能である。したがって、無線デバイス２０は、移動／回転しても常に到達可能になる。共通スペースＰＤＣＣＨを介したこの可用性は、ビームペアリンクが落ちた場合にのみ実行されるビーム回復手順のみに依存する場合と比較して、堅牢なシステムパフォーマンスを保証し、遅延を改善する。
【００５０】
図５は、無線通信ネットワーク内のｇＮＢ１０又は他のネットワークノードによって実行される例示的な方法１００を示している。ｇＮＢ１０は、空間疑似コロケーション（ＱＣＬ）仮定に基づいて、ダウンリンクデータ信号を無線デバイス２０に送信するための初期送信機構成を選択する（ブロック１１０）。その後、ネットワークノード１０は、無線デバイス２０から受信するアップリンク信号の品質を判定する（ブロック１２０）。アップリンク信号の品質に基づいて、ｇＮＢ１０は、空間ＱＣＬ仮定に従ってダウンリンクデータ信号を送信するための新しい送信機構成を選択する再選択手順を開始する（ブロック１３０）。
【００５１】
一実施形態において、ｇＮＢ１０は、異なる空間方向において、２つ以上のダウンリンク同期信号を無線デバイスに送信し、ランダムアクセスチャネルで無線デバイスから好ましい同期信号を示すランダムアクセス信号を受信し、好ましいダウンリンク同期信号に基づき初期送信機構成を選択することにより、初期送信機構成を選択する。
【００５２】
いくつかの実施形態において、方法１００は、トリガ信号に応答して、無線デバイスから新たな好ましいダウンリンク同期信号を示す再選択信号を受信することと、新たな好ましいダウンリンク同期信号に基づき送信のための新しい送信機構成を選択することと、をさらに含む。
【００５３】
いくつかの実施形態において、方法１００は、アップリンクチャネルで無線デバイスにより送信されたアップリンク基準信号を測定することと、アップリンク基準信号の測定に基づいて新しい送信機構成を選択することと、をさらに含む。
【００５４】
図６は、無線通信ネットワークの無線デバイス２０により実行される例示的な方法２００を示している。無線デバイス２０は、空間疑似コロケーション（ＱＣＬ）仮定に基づいて、ダウンリンクデータ信号をネットワークノードから受信するための初期受信機構成を選択する（ブロック２１０）。初期受信機構成を選択した後、無線デバイス２０は、ネットワークノードからトリガ信号を受信する（ブロック２２０）。トリガ信号に応答して、無線デバイスは、ダウンリンクデータ信号を受信するための新しい受信機構成を選択する再選択手順を実行する。
【００５５】
一実施形態において、無線デバイス２０は、ネットワークノードにより異なる空間方向に送信された２つ以上のダウンリンク同期信号を受信し、ダウンリンク同期信号の好ましい１つを選択し、好ましいダウンリンク同期信号に基づき初期受信機構成を選択し、好ましい同期信号を示すランダムアクセス信号をランダムアクセスチャネルでネットワークノードに送信することにより、初期受信機構成を選択する。
【００５６】
いくつかの実施形態において、方法２００は、トリガ信号に応答して、ネットワークノードにより異なる空間方向に送信された２つ以上のダウンリンク同期信号の新たな好ましい１つを検出することと、ダウンリンクデータ信号の送信が、新たな好ましいダウンリンク同期信号の送信と疑似コロケートであるとの空間ＱＣＬ仮定に基づいて、ネットワークノードからダウンリンクデータ信号を受信するための新しい受信機構成を選択することと、をさらに含む。
【００５７】
いくつかの実施形態において、方法２００は、トリガ信号に応答して、ネットワークノードから新たな好ましい同期信号の表示を受信することと、ネットワークノードにより表示された好ましい同期信号を検出することと、ダウンリンクデータ信号の送信が、新たな好ましいダウンリンク同期信号の送信と疑似コロケートであるとの空間ＱＣＬ仮定に基づいて、ネットワークノードからダウンリンクデータ信号を受信するための新しい受信機構成を選択することと、をさらに含む。
【００５８】
図７は、本明細書で説明する再選択手順を実行する様に構成されたネットワークノード７００の主要な機能コンポーネントを示している。ネットワークノード７００は、処理回路７１０と、メモリ７３０と、インタフェース回路７４０と、を備えている。インタフェース回路７４０は、コアネットワーク内の他のネットワークノード及び無線アクセスネットワーク（ＲＡＮ）内の基地局１０との通信を可能にするネットワークインターフェース回路７４５を含む。
【００５９】
処理回路７１０は、ネットワークノード７００の動作を制御する。処理回路７１０は、１つ以上のマイクロプロセッサと、ハードウェアと、ファームウェアと、それらの組み合わせと、を備え得る。処理回路７１０は、初期送信機構成を選択する選択部７１５と、アップリンク信号の品質を測定する品質判定部７２０と、本明細書で説明する再選択手順中に送信機構成を再選択する再選択部７２５と、を含み得る。処理回路７１０は、図２〜４に示される方法を含む、本明細書で説明される方法及び手順を実行する様に構成される。
【００６０】
メモリ７３０は、処理回路７１０の動作に必要なコンピュータプログラムコード及びデータを格納するための揮発性及び不揮発性メモリの両方を含む。メモリ７３０は、電子、磁気、光学、電磁気、又は、半導体データ記憶装置を含む、データを記憶するための任意の有形の非一時的コンピュータ可読記憶媒体を含み得る。メモリ７３０は、本明細書で説明される方法を実行する様に処理回路７１０を構成する実行可能命令を含むコンピュータプログラム７３５を格納している。一般的に、コンピュータプログラム命令及び構成情報は、読み取り専用メモリ（ＲＯＭ）、消去可能プログラマブル読み取り専用メモリ（ＥＰＲＯＭ）又はフラッシュメモリなどの不揮発性メモリに格納される。動作中に生成された一時データは、ランダムアクセスメモリ（ＲＡＭ）などの揮発性メモリに格納され得る。いくつかの実施形態において、本開示の処理回路７１０を構成するためのコンピュータプログラム７３５は、ポータブルコンパクトディスク、ポータブルデジタルビデオディスク、或いは、別のリムーバブルメディアなどのリムーバブルメモリに格納され得る。コンピュータプログラム７３５は、また、電気信号、光信号、無線信号、又は、コンピュータ可読記憶媒体などのキャリア内で具現化することができる。
【００６１】
図８は、本明細書で説明する方法を実行する様に構成された無線デバイス８００の主要な機能コンポーネントを示している。無線デバイス８００は、処理回路８１０と、メモリ８３０と、インタフェース回路８４０と、を備えている。インタフェース回路８４０は、１つ以上のアンテナ８５０に結合された無線周波数（ＲＦ）インタフェース回路８４５を含む。ＲＦインタフェース回路８４５は、無線通信チャネルを介して基地局１０と通信するために必要な無線周波数（ＲＦ）コンポーネントを含む。典型的には、ＲＦコンポーネントは、３Ｇ、４Ｇ若しくは５Ｇ又は他の無線アクセス技術（ＲＡＴ）に従って通信する様に適合された送信機及び受信機を含む。
【００６２】
処理回路８１０は、無線デバイス８００により送信、或いは、受信される信号を処理する。その様な処理は、送信信号の符号化及び変調と、受信信号の復調及び復号と、を含む。処理回路８１０は、１つ以上のマイクロプロセッサと、ハードウェアと、ファームウェアと、それらの組み合わせと、を備え得る。一実施形態において、処理回路８１０は、初期送信機構成を選択する選択部８１５と、本明細書で説明するトリガ信号に応答して送信機構成を再選択する再選択部８２０とを含み得る。処理回路８１０は、本明細書で説明される方法及び手順を実行する様に構成される。メモリ８３０は、処理回路８１０の動作に必要なコンピュータプログラムコード及びデータを格納するための揮発性及び不揮発性メモリの両方を含む。メモリ８３０は、電子、磁気、光学、電磁気、又は、半導体データ記憶装置を含む、データを記憶するための任意の有形の非一時的コンピュータ可読記憶媒体を含み得る。メモリ８３０は、図２、３及び５による方法を含む、本明細書で説明される方法及び手順を実行する様に処理回路８１０を構成する実行可能命令を含むコンピュータプログラム８３５を格納している。一般敵に、コンピュータプログラム命令及び構成情報は、読み取り専用メモリ（ＲＯＭ）、消去可能プログラマブル読み取り専用メモリ（ＥＰＲＯＭ）又はフラッシュメモリなどの不揮発性メモリに格納される。動作中に生成された一時データは、ランダムアクセスメモリ（ＲＡＭ）などの揮発性メモリに格納され得る。いくつかの実施形態において、本開示の処理回路８１０を構成するためのコンピュータプログラム８３５は、ポータブルコンパクトディスク、ポータブルデジタルビデオディスク、或いは、別のリムーバブルメディアなどのリムーバブルメモリに格納され得る。コンピュータプログラム８３５は、また、電気信号、光信号、無線信号、又は、コンピュータ可読記憶媒体などのキャリア内で具現化することができる。
【図１】
2020512761.tif 000003
【図２】
2020512761.tif 000004
【図３】
2020512761.tif 000005
【図４】
2020512761.tif 000006
【図５】
2020512761.tif 000007
【図６】
2020512761.tif 000008
【図７】
2020512761.tif 000009
【図８】
2020512761.tif 000010
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
無線通信ネットワークのネットワークノード（１０，７００）により実行される方法（１００）であって、
空間疑似コロケーション（ＱＣＬ）仮定に基づいて、ダウンリンクデータ信号を無線デバイス（２０，８００）に送信するための初期送信機構成を選択する（１１０）ことであって、
異なる空間方向において、前記無線デバイス（２０，８００）に２つ以上のダウンリンク同期信号を送信することと、
ランダムアクセスチャネルで、前記無線デバイス（２０，８００）から好ましい同期信号を示すランダムアクセス信号を受信することと、
前記好ましいダウンリンク同期信号に基づき前記初期送信機構成を選択することと、
を含む、前記選択する（１１０）ことと、
前記無線デバイス（２０，８００）から受信するアップリンク信号の品質を判定する（１２０）ことと、
前記アップリンク信号の前記品質に基づいて、更なる空間ＱＣＬ仮定に従って前記ダウンリンクデータ信号を送信するための新しい送信機構成を選択する再選択手順を開始する（１３０）ことと、を含む方法。
【請求項２】
請求項１に記載の方法（１００）であって、
前記好ましいダウンリンク同期信号に基づき前記初期送信機構成を選択することは、前記ダウンリンクデータ信号の送信が、前記好ましい同期信号の送信と疑似コロケートとなる様に、前記ダウンリンクデータ信号を送信するための前記初期送信機構成を選択すること、を含む方法。
【請求項３】
請求項１又は２に記載の方法（１００）であって、
前記再選択手順を開始することは、前記無線デバイス（２０，８００）にトリガ信号を送信することを含み、
前記方法（１００）は、さらに、
前記トリガ信号に応答して、前記無線デバイス（２０，８００）から、新たな好ましいダウンリンク同期信号を示す再選択信号を受信することと、
前記新たな好ましいダウンリンク同期信号に基づき送信のための前記新しい送信機構成を選択することと、
を含む方法。
【請求項４】
請求項３に記載の方法（１００）であって、
前記再選択信号は、ランダムアクセスチャネルで前記無線デバイス（２０，８００）により送信されるランダムアクセス信号を含む、方法。
【請求項５】
請求項３又は４に記載の方法（１００）であって、
前記新たな好ましいダウンリンク同期信号に基づき前記新しい送信機構成を選択することは、前記ダウンリンクデータ信号の送信が、前記新たな好ましい同期信号の送信と疑似コロケートとなる様に前記ダウンリンクデータ信号を送信するための前記初期送信機構成を選択すること、を含む方法。
【請求項６】
請求項１又は２に記載の方法であって、さらに、
アップリンクチャネルで前記無線デバイス（２０，８００）により送信されるアップリンク基準信号を測定することと、
前記アップリンク基準信号の前記測定に基づき新しい送信機構成を選択することと、
を含む方法。
【請求項７】
無線通信ネットワークのネットワークノード（１０，７００）であって、
空間疑似コロケーション（ＱＣＬ）仮定に基づいて、ダウンリンクデータ信号を無線デバイス（２０，８００）に送信するための初期送信機構成を選択し、前記初期送信機構成を選択することは、
異なる空間方向において、前記無線デバイス（２０，８００）に２つ以上のダウンリンク同期信号を送信することと、
ランダムアクセスチャネルで、前記無線デバイス（２０，８００）から好ましい同期信号を示すランダムアクセス信号を受信することと、
前記好ましいダウンリンク同期信号に基づき前記初期送信機構成を選択することと、
を含み、
前記無線デバイス（２０，８００）から受信するアップリンク信号の品質を判定し、
前記アップリンク信号の前記品質に基づいて、更なる空間ＱＣＬ仮定に従って前記ダウンリンクデータ信号を送信するための新しい送信機構成を選択する再選択手順を開始する、様に構成されている、ネットワークノード。
【請求項８】
請求項７に記載のネットワークノード（１０，７００）であって、
請求項２から６のいずれか１項に記載の方法を実行する様に構成されている、ネットワークノード。
【請求項９】
無線通信ネットワークのネットワークノード（１０，７００）の処理回路（７４０）によって実行されると、前記ネットワークノード（１０，７００）に請求項１から６のいずれか１項に記載の方法を実行させる実行可能命令を含むコンピュータプログラム。
【請求項１０】
無線通信ネットワークの無線デバイス（２０，８００）により実行される方法（２００）であって、
空間疑似コロケーション（ＱＣＬ）仮定に基づいて、ダウンリンクデータ信号をネットワークノード（１０，７００）から受信するための初期受信機構成を選択する（２１０）ことであって、
前記無線デバイス（２０，８００）において、前記ネットワークノード（１０，７００）により異なる空間方向に送信された２つ以上のダウンリンク同期信号を受信することと、
前記ダウンリンク同期信号の内の好ましい１つのダウンリンク同期信号を選択することと、
前記好ましいダウンリンク同期信号に基づき前記初期受信機構成を選択することと、
ランダムアクセスチャネルで、前記好ましい同期信号を示すランダムアクセス信号を前記ネットワークノード（１０，７００）に送信することと、
を含む、前記選択する（２１０）ことと、
前記ネットワークノード（１０，７００）からトリガ信号を受信する（２２０）ことと、
前記トリガ信号に応答して、前記ダウンリンクデータ信号を受信するための新しい受信機構成を選択する再選択手順を実行する（２３０）ことと、
を含む方法。
【請求項１１】
請求項１０に記載の方法（２００）であって、
前記好ましいダウンリンク同期信号に基づき前記初期受信機構成を選択することは、前記ダウンリンクデータ信号の送信が、前記好ましい同期信号の送信と疑似コロケートになるとの前記ＱＣＬ仮定に基づいて、前記ダウンリンクデータ信号を受信するための前記初期受信機構成を選択すること、を含む方法。
【請求項１２】
請求項１０又は１１に記載の方法（２００）であって、さらに、前記トリガ信号に応答して、
前記ネットワークノード（１０，７００）により異なる空間方向に送信された２つ以上のダウンリンク同期信号の内の新たな好ましい１つのダウンリンク同期信号を検出することと、
前記ダウンリンクデータ信号の送信が、前記新たな好ましいダウンリンク同期信号の送信と疑似コロケートになるとの前記空間ＱＣＬ仮定に基づいて、前記ネットワークノード（１０，７００）から前記ダウンリンクデータ信号を受信するための前記新しい受信機構成を選択することと、
を含む方法。
【請求項１３】
請求項１０から１２のいずれか１項に記載の方法（２００）であって、さらに、前記トリガ信号に応答して、
前記ネットワークノード（１０，７００）から新たな好ましい同期信号の表示を受信することと、
前記ネットワークノード（１０，７００）によって表示される前記好ましいダウンリンク同期信号を検出することと、
前記ダウンリンクデータ信号の送信が、前記新たな好ましいダウンリンク同期信号の送信と疑似コロケートになるとの前記空間ＱＣＬ仮定に基づいて、前記ネットワークノード（１０，７００）から前記ダウンリンクデータ信号を受信するための前記新しい受信機構成を選択することと、
を含む方法。
【請求項１４】
請求項１０から１３のいずれか１項に記載の方法（２００）であって、
前記初期受信機構成を選択すること、及び、前記新しい受信機構成を選択することは、前記ダウンリンクデータ信号を受信するための受信ビームを生成するために使用されるビーム形成重みを選択すること、を含む方法。
【請求項１５】
無線通信ネットワークの無線デバイス（２０，８００）であって、
空間疑似コロケーション（ＱＣＬ）仮定に基づいて、ダウンリンクデータ信号をネットワークノード（１０，７００）から受信するための初期受信機構成を選択し、前記初期受信機構成を選択することは、
前記無線デバイス（２０，８００）において、前記ネットワークノード（１０，７００）により異なる空間方向に送信された２つ以上のダウンリンク同期信号を受信することと、
前記ダウンリンク同期信号の内の好ましい１つのダウンリンク同期信号を選択することと、
前記好ましいダウンリンク同期信号に基づき前記初期受信機構成を選択することと、
ランダムアクセスチャネルで、前記好ましい同期信号を示すランダムアクセス信号を前記ネットワークノード（１０，７００）に送信することと、
を含み、
前記ネットワークノード（１０，７００）からトリガ信号を受信し、
前記トリガ信号に応答して、前記ダウンリンクデータ信号を受信するための前記受信機構成を更新する再選択手順を実行する様に構成されている、無線デバイス。
【請求項１６】
請求項１５に記載の無線デバイス（２０，８００）であって、
請求項１１から１４のいずれか１項に記載の方法を実行する様に構成されている、無線デバイス。
【請求項１７】
無線デバイス（２０，８００）の処理回路（８１０）によって実行されると、前記無線デバイス（２０，８００）に請求項１０から１４のいずれか１項に記載の方法を実行させる実行可能命令を含むコンピュータプログラム。
【国際調査報告】
2020512761.tif 000011
2020512761.tif 000012
2020512761.tif 000013